(57)【要約】【課題】物品の所有者を判定することができる所有者判定用装置、ＲＦＩＤタグおよび所有者判定システムを提供すること。【解決手段】メモリ手段から読み出した識別コードを物品に付加されたＲＦＩＤタグに送信する第１の送信手段と、データベース装置から一方向関数を受信してメモリ手段に記憶する手段と、前記メモリ手段から読み出した一方向関数をＲＦＩＤタグに送信する第２の送信手段と、ＲＦＩＤタグにおいて識別コードを一方向関数に代入して求めさせた第１の演算結果をＲＦＩＤタグから受信する受信手段と、メモリ手段から識別コードと一方向関数を読み出し、この識別コードをこの一方向関数に代入して第２の演算結果を求める演算手段と、第１の演算結果と第２の演算結果とが一致したときに物品の所有者であると判定する判定手段と、この判定結果を表示する表示手段とを備える。【選択図】図３
2007328566.tif 000002
【特許請求の範囲】
【請求項１】
データベース装置から通信回線を介して受信した識別コードをメモリ手段に記憶し、この識別コードを無線通信により物品に付加されたＲＦＩＤタグに送信する所有者判定装置であって、
前記メモリ手段から読み出した識別コードを物品に付加されたＲＦＩＤタグに送信する第１の送信手段と、
所有者の判定時に、前記データベース装置から一方向関数を受信してメモリ手段に記憶する手段と、
前記メモリ手段から読み出した一方向関数を前記ＲＦＩＤタグに送信する第２の送信手段と、
前記ＲＦＩＤタグにおいて識別コードを一方向関数に代入して求めさせた第１の演算結果を前記ＲＦＩＤタグから受信する受信手段と、
前記メモリ手段から識別コードと一方向関数を読み出し、この識別コードをこの一方向関数に代入して第２の演算結果を求める演算手段と、
前記第１の演算結果と第２の演算結果とが一致したときに前記物品の所有者であると判定する判定手段と、
前記判定手段による判定結果を表示する表示手段とを備えたことを特徴とする所有者判定用装置。
【請求項２】
請求項１記載の所有者判定用装置において、
前記メモリ手段から読み出した一方向関数の有効期限が経過した場合には、前記データベース装置に新たな一方向関数の配信を要求するための要求情報を送信する第３の送信手段と、
前記データベース装置から新たな一方向関数を受信して前記メモリ手段に記憶する手段と、
前記データベース装置から受信した新たな一方向関数を前記ＲＦＩＤタグに送信する第３の送信手段とを備えたことを特徴とする所有者判定用装置。
【請求項３】
物品に付加され、所有者判定用装置と無線通信するＲＦＩＤタグであって、
所有者判定用装置から識別コードを受信して記憶するメモリ手段と、
判定時に、所有者判定用装置から一方向関数を受信する受信手段と、
前記メモリ手段から読み出した識別コードを、この受信手段により受信した一方向関数に代入して演算結果を求める演算手段と、
この演算手段により求められた演算結果を所有者判定用装置に送信する送信手段とを備えたことを特徴とするＲＦＩＤタグ。
【請求項４】
請求項３記載のＲＦＩＤタグにおいて、
前記メモリ手段は、
データが蓄積される複数のメモリセルを有し、当該メモリセルからデータが読み出された場合に、当該メモリセルに読み出されたデータを残さない破壊読出しを行う不揮発性メモリからなることを特徴とするＲＦＩＤタグ。
【請求項５】
データベース装置から通信回線を介して受信した識別コードを所有者判定用装置の第１のメモリ手段に記憶し、この識別コードをこの所有者判定用装置から無線通信により物品に付加されたＲＦＩＤタグに送信して第２のメモリ手段に記憶させる所有者判定システムであって、
前記データベース装置は、
一方向関数を記憶する記憶手段と、
前記記憶手段から読み出した一方向関数を前記所有者判定用装置に送信する第１の送信手段とを備え、
前記ＲＦＩＤタグは、
前記所有者判定用装置から一方向関数を受信する受信手段と、
前記第２のメモリ手段から読み出した識別コードを、この受信手段により受信された一方向関数に代入して第１の演算結果を求める第１の演算手段と、
前記第１の演算手段により求められた第１の演算結果を前記所有者判定用装置に送信する第２の送信手段とを備え、
前記所有者判定用装置は、
前記データベース装置から一方向関数を受信して前記第１のメモリ手段に記憶する手段と、
この一方向関数を前記ＲＦＩＤタグに送信する第３の送信手段と、
前記ＲＦＩＤタグから第１の演算結果を受信する受信手段と、
前記第１のメモリ手段から識別コードと一方向関数を読み出し、この識別コードをこの一方向関数に代入して第２の演算結果を求める演算手段と、
前記第１の演算結果と第２の演算結果とが一致したときに前記物品の所有者であると判定する判定手段と、
前記判定手段による判定結果を表示する表示手段とを備えたことを特徴とする所有者判定システム。
【発明の詳細な説明】
【技術分野】
【０００１】
本発明は、物品の所有者を判定する所有者判定用装置、ＲＦＩＤタグおよび所有者判定システムに関する。
【背景技術】
【０００２】
従来、ブランド品や骨董的価値がある古美術品、複製が容易に可能な物、見間違い易い物、証明が難しい物等の所有者を識別可能な技術として所有者判定システムが提供されている。
【０００３】
図１５（ａ）に示すように、例えばブランド製のカバンのオリジナル品２０１に対して、悪意の者がコピー品２０２ａ，２０２ｂを製造した場合、オリジナル品２０１とコピー品２０２ａ，２０２ｂとが互いに見分けがつかないことがある。
【０００４】
そこで、図１５（ｂ）に示すように、メーカ側では固有ＩＤ情報を保持する集積回路を埋め込んだオリジナル品２０３を製造しておき、リーダーを使用してオリジナル品２０３から固有ＩＤ情報を読み取り、読み取った固有ＩＤ情報に対応する所有者Ｘを照会するようにしておけば、オリジナル品２０３の所有者を判定することができる。
【０００５】
ところで、このように固有ＩＤ情報を保持する技術としては、特許文献１に記載されているものが報告されている。特許文献１では、トナーカートリッジ等の交換部品に関し、出荷時に固有ＩＤ情報を割り当てるものである。
【特許文献１】特開２００２−２１４９８１号公報
【発明の開示】
【発明が解決しようとする課題】
【０００６】
しかしながら、悪意の者がオリジナル品２０３から固有ＩＤ情報を読み取って、この固有ＩＤ情報を複製してコピー品２０４に埋め込んだ場合、オリジナル品２０３とコピー品２０４との固有ＩＤ情報が同じため、複製されたコピー品２０４から読み取った固有ＩＤ情報に基づいて所有者が所有者Ｘであると判定されてしまう。
【０００７】
このように、特許文献１に記載された技術を利用した場合、精巧な複製技術によってオリジナル品とコピー品の区別ができなくなり、オリジナル品がコピー品とすりかえられた場合には、所有者を判定できなくなるといった問題があった。
【０００８】
また、例えばホテルのクロークや空港等において、所有者のカバンと類似した複数のカバンの中から自己のカバンを探し出す場合や、所持しているカバンが確実に所有者のものなのか判定するために所有者判定用装置、ＲＦＩＤタグおよび所有者判定システムの提案が望まれていた。
【０００９】
本発明は、物品の所有者を判定することができる所有者判定用装置、ＲＦＩＤタグおよび所有者判定システムを提供することを目的とする。
【課題を解決するための手段】
【００１０】
本発明の所有者判定用装置は、上述の課題を解決するために、データベース装置から通信回線を介して受信した識別コードをメモリ手段に記憶し、この識別コードを無線通信により物品に付加されたＲＦＩＤタグに送信する所有者判定装置であって、前記メモリ手段から読み出した識別コードを物品に付加されたＲＦＩＤタグに送信する第１の送信手段と、所有者の判定時に、前記データベース装置から一方向関数を受信してメモリ手段に記憶する手段と、前記メモリ手段から読み出した一方向関数を前記ＲＦＩＤタグに送信する第２の送信手段と、前記ＲＦＩＤタグにおいて識別コードを一方向関数に代入して求めさせた第１の演算結果を前記ＲＦＩＤタグから受信する受信手段と、前記メモリ手段から識別コードと一方向関数を読み出し、この識別コードをこの一方向関数に代入して第２の演算結果を求める演算手段と、前記第１の演算結果と第２の演算結果とが一致したときに前記物品の所有者であると判定する判定手段と、前記判定手段による判定結果を表示する表示手段とを備えたことを特徴とする。
【００１１】
この発明によれば、データベース装置から受信した識別コードを物品に付加されたＲＦＩＤタグに送信しておき、所有者の判定時に、データベース装置から受信した一方向関数をＲＦＩＤタグに送信し、ＲＦＩＤタグにおいて識別コードを一方向関数に代入して求めさせた第１の演算結果をＲＦＩＤタグから受信する一方、識別コードを一方向関数に代入して第２の演算結果を求め、第１の演算結果と第２の演算結果とが一致したときに物品の所有者であると判定してこの判定結果を表示することで、物品の所有者を判定することができる。
【００１２】
例えば、ホテルのクロークや空港等において、所有者のカバンと類似した複数のカバンの中から自己のカバンを探し出す場合や、所持しているカバンが確実に所有者のものなのか判定することができる。
【００１３】
本発明の所有者判定用装置は、上述の課題を解決するために、前記メモリ手段から読み出した一方向関数の有効期限が経過した場合には、前記データベース装置に新たな一方向関数の配信を要求するための要求情報を送信する第３の送信手段と、前記データベース装置から新たな一方向関数を受信して前記メモリ手段に記憶する手段と、前記データベース装置から受信した新たな一方向関数を前記ＲＦＩＤタグに送信する第３の送信手段とを備えたことを特徴とする。
【００１４】
この発明によれば、記憶してある一方向関数の有効期限が経過した場合には、データベース装置に新たな一方向関数の配信を要求し、データベース装置からこの受信した新たな一方向関数をＲＦＩＤタグに送信することで、ＲＦＩＤタグに最新の一方向関数に基づいた演算を行わせて暗号化させることができ、例えば有効期限を日単位や週単位で変更すれば、物品の所有者の判定を高確度で行うことができる。
【００１５】
本発明のＲＦＩＤタグは、上述の課題を解決するために、物品に付加され、所有者判定用装置と無線通信するＲＦＩＤタグであって、所有者判定用装置から識別コードを受信して記憶するメモリ手段と、判定時に、所有者判定用装置から一方向関数を受信する受信手段と、前記メモリ手段から読み出した識別コードを、この受信手段により受信した一方向関数に代入して演算結果を求める演算手段と、この演算手段により求められた演算結果を所有者判定用装置に送信する送信手段とを備えたことを特徴とする。
【００１６】
この発明によれば、所有者判定用装置から識別コードを受信して記憶しておき、判定時に、所有者判定用装置から受信した一方向関数を用いるので、最新の一方向関数に基づいた演算を行って識別コードを暗号化することができ、物品の所有者の判定を高確度で行うことができる。
【００１７】
本発明のＲＦＩＤタグは、上述の課題を解決するために、前記メモリ手段は、データが蓄積される複数のメモリセルを有し、当該メモリセルからデータが読み出された場合に、当該メモリセルに読み出されたデータを残さない破壊読出しを行う不揮発性メモリからなることを特徴とする。
【００１８】
この発明によれば、演算時に、不揮発性メモリに記憶された識別コードを残さない破壊読出しを行うので、ＲＦＩＤタグの複製を防止することができる。
【００１９】
本発明の所有者判定システムは、上述の課題を解決するために、データベース装置から通信回線を介して受信した識別コードを所有者判定用装置の第１のメモリ手段に記憶し、この識別コードをこの所有者判定用装置から無線通信により物品に付加されたＲＦＩＤタグに送信して第２のメモリ手段に記憶させる所有者判定システムであって、前記データベース装置は、一方向関数を記憶する記憶手段と、前記記憶手段から読み出した一方向関数を前記所有者判定用装置に送信する第１の送信手段とを備え、前記ＲＦＩＤタグは、前記所有者判定用装置から一方向関数を受信する受信手段と、前記第２のメモリ手段から読み出した識別コードを、この受信手段により受信された一方向関数に代入して第１の演算結果を求める第１の演算手段と、前記第１の演算手段により求められた第１の演算結果を前記所有者判定用装置に送信する第２の送信手段とを備え、前記所有者判定用装置は、前記データベース装置から一方向関数を受信して前記第１のメモリ手段に記憶する手段と、この一方向関数を前記ＲＦＩＤタグに送信する第３の送信手段と、前記ＲＦＩＤタグから第１の演算結果を受信する受信手段と、前記第１のメモリ手段から識別コードと一方向関数を読み出し、この識別コードをこの一方向関数に代入して第２の演算結果を求める演算手段と、前記第１の演算結果と第２の演算結果とが一致したときに前記物品の所有者であると判定する判定手段と、前記判定手段による判定結果を表示する表示手段とを備えたことを特徴とする。
【００２０】
この発明によれば、データベース装置から受信した識別コードを物品に付加されたＲＦＩＤタグに送信しておき、データベース装置から受信した一方向関数をＲＦＩＤタグに送信し、ＲＦＩＤタグにおいて識別コードを一方向関数に代入させて求めさせた第１の演算結果をＲＦＩＤタグから受信する一方、識別コードを一方向関数に代入して第２の演算結果を求め、第１の演算結果と第２の演算結果とが一致したときに物品の所有者であると判定してこの判定結果を表示することで、物品の所有者を判定することができる。
【００２１】
例えば、ホテルのクロークや空港等において、所有者のカバンと類似した複数のカバンの中から自己のカバンを探し出す場合や、所持しているカバンが確実に所有者のものなのか判定することができる。
【発明を実施するための最良の形態】
【００２２】
以下、本発明の実施形態を図面に基づいて説明する。
【００２３】
本発明に係る所有者判定システムを、図１に示すように、例えばカバンの所有者を判定するためのシステムに適用して説明する。
【００２４】
図１において、所有者判定システム１１は、ＲＦＩＤタグ１３が内蔵されているカバン１２と、ＲＦＩＤタグ１３と近接距離で通信してカバン１２の所有者を判定する所有者判定用端末１４と、所有者判定用端末１４と専用ケーブル１７を介して接続されて所有者判定用端末１４と店舗用ＤＢ１５との間でパケットデータを用いたデータ通信を仲介するための携帯電話機１８と、携帯電話機１８に対して無線通信サービスを提供するための無線通信回線１９と、無線通信回線１９と接続され通信サービスを提供するための通信回線１６と、通信回線１６と店舗用ＤＢ１５との間で通信経路を設定するためのルータ２０と、所有者判定用端末１４に識別情報や一方向関数を与えるためにカバン１２を販売する店舗に設けられた店舗用ＤＢ（データベース）１５とから構成されている。なお、携帯電話機１８は、インターネットや電子メールを行う機能を有している。
【００２５】
なお、図１において、カバン１２の販売時には、例えば、店舗内にカバン１２と所有者判定用端末１４と携帯電話機１８および店舗用ＤＢ１５とがともに存在している状態にある。
【００２６】
一方、このカバン１２を購入した後は、所有者判定用端末１４と携帯電話機１８とは所有者が保持している。例えばホテルのクロークや空港等で所有者がこのカバン１２と類似した複数のカバンの中から自己のカバン１２を探し出す場合や、所持しているカバンが確実に所有者のものなのか判定するために所有者判定用端末１４を用いる。
【００２７】
図２において、ＲＦＩＤタグ１３は、カバン１２に取り付けられており、ＲＦＩＤタグ１３内には、コイルアンテナ１３ａを介して所有者判定用端末１４側から変動磁場を受信したときに電力を発生する電力発生部１３ｂと、所有者判定用端末１４から受信した識別情報と一方向関数を記憶する不揮発性メモリからなる強誘電体メモリ部１３ｆと、電力発生部１３ｂから電力が供給されたとき強誘電体メモリ部１３ｆに記憶された識別コードを読み出して一方向関数により暗号化した識別コードを変調部１３ｄに付与する制御部１３ｇと、制御部１３ｇからの識別コードに基づいて一定周波数の正弦波信号を周波数偏移（ＦＳＫ）変調して所定の順序の複数の異なる周波数の正弦波信号を形成する変調部１３ｄと、変調部１３ｄの出力信号をコイルアンテナ１３ａより空間に放射して変動磁場を形成する送信部１３ｃと、コイルアンテナ１３ａを介して所有者判定用端末１４側から変動磁場を受信して受信信号を出力する受信部１３ｈと、受信部１３ｈからの受信信号を復調して出力信号を制御部１３ｇに与える復調部１３ｉと、制御プログラムを記憶するＲＯＭ（Ｒｅａｄ  Ｏｎｌｙ  Ｍｅｍｏｒｙ）１３ｅとから構成されている。
【００２８】
なお、変調部１３ｄには一定周波数の正弦波信号を発生する局部発振器が内蔵されている。また、強誘電体メモリ部１３ｆにはＦｅＲＡＭが使用され、コイルアンテナ１３ａとともに樹脂性のケース（図示しない）内に収容されている。
【００２９】
図３において、所有者判定用端末１４は、一定周波数の正弦波信号をコイルアンテナ１４ａより空間に放射して変動磁場を形成する発振部１４ｂと、ＲＦＩＤタグ１３からの変動磁場をコイルアンテナ１４ａを介して受信する受信部１４ｃと、受信部１４ｃの出力信号を周波数弁別により復調してＲＦＩＤタグ１３からの変動磁場の周波数を検出する復調部１４ｄ、制御部１４ｆからの識別コードに基づいて一定周波数の正弦波信号を周波数偏移変調して所定の順序の複数の異なる周波数の正弦波信号を形成する変調部１４ｎと、変調部１４ｎの出力信号をコイルアンテナ１４ａより空間に放射して変動磁場を形成する送信部１４ｐと、カバン１２を購入したときに販売店により所有者に付与された識別情報と一方向関数ＨＦと有効期限データを記憶するＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）１４ｅと、復調部１４ｄから得られたＲＦＩＤタグ１３からの識別コードとＥＥＰＲＯＭ１４ｅの識別コードとを比較して両者が一致するか否かを判定して所有者を判定する制御部１４ｆと、制御部１４ｆによる前述した識別コード同士の比較結果を表示する表示部１４ｇと、コネクタ１４ｒに接続された専用ケーブル１７を介して携帯電話機１８との間でパケットデータを用いたデータ通信を行うための通信処理部１４ｈと、操作情報を入力して制御部１４ｆに与える操作部１４ｉと、現在の時刻情報を制御部１４ｆに与えるＲＴＣ（Ｒｅａｌ  Ｔｉｍｅ  Ｃｌｏｃｋ）１４ｊと、所有者判定に用いるプログラムを記憶するＲＯＭ１４ｋと、制御部１４ｆによりワークメモリとして利用されるＲＡＭ（Ｒａｎｄｏｍ  Ａｃｃｅｓｓ  Ｍｅｍｏｒｙ）１４ｍとから構成されている。
【００３０】
図４において、店舗用ＤＢ（データベース）１５は、カバン１２の販売時に後述する識別情報の入力フォームをモニタ１５ａに表示する表示処理部１５ｂと、例えば識別情報の詳細な項目毎にデータを入力して制御部１５ｄに与えるキーボード１５ｃと、入力された識別情報を一方向関数ＨＦと有効期限データとともにＨＤ（ハードディスク）１５ｅに記憶させるとともにＨＤ１５ｅから読み出した識別情報と一方向関数ＨＦおよび有効期限データを通信処理部１５ｆに与えるように制御する制御部１５ｄと、ルータ２０に接続され通信処理を行う通信処理部１５ｆと、制御に用いるプログラムを記憶するＲＯＭ１５ｇと、制御部１５ｄによりワークメモリとして利用されるＲＡＭ１５ｈとから構成されている。
【００３１】
なお、カバン１２と所有者判定用端末１４および携帯電話機１８とがともに所有者により携帯され、店舗から遠隔地にある場合には、所有者判定用端末１４と店舗用ＤＢ１５とを、携帯電話機１８、無線通信回線１９、通信回線１６、ルータ２０とを介して接続して通信する。
【００３２】
＜強誘電体メモリ部１３ｆの第１の構成例＞
ここで、強誘電体メモリ部１３ｆの第１の構成例について説明する。強誘電体メモリ部１３ｆは、図５に示すように、基板（ｃｈｉｐ）５０上に、強誘電体材料がデータの蓄積メモリとして構成されるメモリセル１００と、マトリクス状に複数個並んで配置されているメモリセル１００の中から任意のメモリセル１００を選択する選択信号Ｓ１が供給される選択線（以降、ワードライン（ＷＬ、Ｗｏｒｄ  Ｌｉｎｅ）と呼ぶ。）１０１と、メモリセル１００に第１の電圧Ｖ１が供給される第１の電圧供給線（以降、ビットライン（ＢＬ、Ｂｉｔ  Ｌｉｎｅ）と呼ぶ。）１０２と、メモリセル１００に第２の電圧Ｖ２が供給される第２の電圧供給線（以降、プレートライン（ＰＬ、Ｐｌａｔｅ  Ｌｉｎｅ）と呼ぶ。）１０３とから構成されるメモリセル群５１と、ＷＬ１０１を介して選択信号Ｓ１を供給して任意のメモリセル１００を選択し、当該メモリセル１００にデータを書き込むデータ書込部５２と、ＷＬ１０１を介して選択信号Ｓ１を供給して任意のメモリセル１００を選択し、当該メモリセル１００に書き込まれているデータを読み出すデータ読出部５３と、データ書込部５２によるデータの書き込み動作を制御し、また、データ読出部５３によるデータの読み出し動作を制御する制御部５４とを備える。
【００３３】
また、メモリセル１００は、データ読出部５３によりデータが反転して読み出された後は、データの再書き込み動作が行われず、その状態（反転状態）が維持される。
【００３４】
ここで、メモリセル群５１の構成について詳述する。メモリセル群５１は、図６に示すように、複数のメモリセル１００と、ＷＬ１０１に選択信号Ｓ１を供給するＷＬ駆動部１０４と、ＢＬ１０２に第１の電圧Ｖ１を供給するＢＬ駆動部１０５と、ＰＬ１０３に第２の電圧Ｖ２を供給するＰＬ駆動部１０６とを備える。
【００３５】
メモリセル１００は、図７に示すように、トランジスタ１１０と、強誘電体膜（以降、強誘電体キャパシタと呼ぶ。）から構成されるキャパシタ１１１とから構成されており、トランジスタ１１０のゲート端子にＷＬ１０１が接続され、また、トランジスタ１１０のドレイン端子（又はソース端子）にＢＬ１０２が接続され、また、トランジスタ１１０のソース端子（又はドレイン端子）にキャパシタ１１１の一方側の端子が接続され、さらに、キャパシタ１１１の他方側の端子にＰＬ１０３が接続されている。また、強誘電体キャパシタの材料としては、ＰＺＴ（ジルコン酸チタン酸鉛）等のペロブスカイト化合物系や、ＳＢＺ（チタン酸バリウム・ストロンチウム）等の層状ペロブスカイト化合物系が用いられる。また、本実施例では、メモリセル１００は、いわゆる１Ｔ／１Ｃ型を示しているが、これに限定されず、例えば、２Ｔ／２Ｃ型等であってもよい。
【００３６】
ＷＬ駆動部１０４は、行方向アドレスデコーダを有しており、アドレス選択されたＷＬ１０１に、データの書き込み又は読み出しに応じた電位を供給する。
【００３７】
ＢＬ駆動部１０５は、列方向アドレスデコーダと、センスアンプとを有しており、アドレス選択されたＢＬ１０２に、データの書き込み又は読み出しに応じた電位を供給する。また、ＢＬ駆動部１０５は、データの読み出し時においては、ＢＬ１０２を介してセンスアンプに供給される電圧をセンスアンプにおいて増幅し、増幅後の信号を外部に出力する。
【００３８】
ＰＬ駆動部１０６は、行方向アドレスデコーダを含んで構成されており、アドレス選択されたＰＬ１０３に、データの書き込み又は読み出しに応じた電位を供給する。
【００３９】
ここで、メモリセル１００にデータを書き込む動作について説明する。データ書込部５２は、制御部５４による書き込み制御にしたがって、メモリセル群５１のＷＬ駆動部１０４と、ＢＬ駆動部１０５と、ＰＬ駆動部１０６に所定の信号を供給する。ＷＬ駆動部１０４は、データ書込部５２から供給された信号にしたがって、任意のＷＬ１０１を選択し、選択したＷＬ１０１に所定の選択信号を供給する。ＷＬ駆動部１０４により選択されたＷＬ１０１上のメモリセル１００は、ゲート端子に選択信号が供給されることによりトランジスタ１１０がＯＮ状態となる。
【００４０】
また、ＢＬ駆動部１０５は、データ書込部５２から供給された信号にしたがって、任意のＢＬ１０２を選択し、選択したＢＬ１０２に第１の電圧Ｖ１を供給する。また、ＰＬ駆動部１０６は、データ書込部５２から供給された信号にしたがって、任意のＰＬ１０３に所定の第２の電圧Ｖ２を供給する。
【００４１】
例えば、ＢＬ１０２に第１の電圧Ｖ１として０Ｖが印加され、ＰＬ１０３に第２の電圧Ｖ２としてＶｃｃが印加されると、キャパシタ１１１には「０」が書き込まれ、また、ＢＬ１０２に第１の電圧Ｖ１としてＶｃｃが印加され、ＰＬ１０３に第２の電圧Ｖ２として０Ｖが印加されると、キャパシタ１１１には「１」が書き込まれる。
【００４２】
また、キャパシタ１１１は、ＷＬ１０１が非選択状態（トランジスタ１１０がＯＦＦ状態）になっても書き込まれたデータ（状態）を保持する。
【００４３】
つぎに、メモリセル１００に書き込まれているデータを読み出す動作について説明する。まず、外部からアドレス信号並びに読み出しを行うための読み出し制御信号が供給される。また、供給されたアドレス信号は、図示しないアドレスデコード回路部により、ＷＬ１０１とＰＬ１０３とを選択するためのＸデコード信号にデコードされ、センスアンプ回路やＢＬ１０２を選択するためのＹデコード信号にデコードされる。
【００４４】
また、Ｘデコード信号は、ＷＬ１０１に備えられているＷＬ駆動部１０４と、ＰＬ１０３に備えられているＰＬ駆動部１０６に供給される。ＷＬ駆動部１０４は、Ｘデコード信号に基づいて任意のＷＬ１０１を選択する。また、ＰＬ駆動部１０６は、Ｘデコード信号に基づいて任意のＰＬ１０３を選択する。
【００４５】
また、Ｙデコード信号は、ＢＬ１０２に備えられているＢＬ駆動部１０５に供給される。ＢＬ駆動部１０５は、Ｙデコード信号に基づいて任意のＢＬ１０２とセンスアンプ回路とを選択する。
【００４６】
また、外部から供給されたアドレス信号にしたがって、ＷＬ１０１並びにＰＬ１０３が選択されたメモリセル１００は、キャパシタ１１１に記憶されているデータに応じた電圧をＢＬ１０２上に出力する。
【００４７】
一方、外部から供給された読み出し制御信号は、制御部５４に供給され、ＢＬ１０２並びにＢＬ駆動部１０５（センスアンプ回路）を動作させるタイミングを制御するための信号として用いられる。
【００４８】
また、ＢＬ１０２上に出力された電圧は、制御部５４によるＢＬ１０２を選択するタイミングと、センスアンプ回路を動作させるタイミングとにしたがって、増幅された後、読み出しデータとして外部に出力される。
【００４９】
また、ＢＬ駆動部１０５は、データ読出部５３から供給された信号にしたがって、任意のＢＬ１０２を選択し、選択したＢＬ１０２に第１の電圧Ｖ１を供給する。また、ＰＬ駆動部１０６は、データ読出部５３から供給された信号にしたがって、任意のＰＬ１０３に所定の第２の電圧Ｖ２を供給する。
【００５０】
例えば、ＢＬ１０２に第１の電圧Ｖ１として０Ｖが印加され、ＰＬ１０３に第２の電圧Ｖ２としてＶｃｃが印加されると、キャパシタ１１１の分極状態に応じた電圧がＢＬ１０２を介してＢＬ駆動部１０５のセンスアンプに供給される。
【００５１】
センスアンプは、供給された電圧に応じて、「１」又は「０」を判断して外部に出力する。
【００５２】
また、キャパシタ１１１は、「１」が読み出された場合には、分極状態が「１」の状態から「０」の状態に反転され、この反転状態を維持する、いわゆる破壊読み出しが行われる。なお、キャパシタ１１１は、「０」が読み出された場合には、分極状態の反転が生じないため、データの読み出し後も「０」が維持される。
【００５３】
したがって、本発明に係るメモリ部１０Ａは、反転読み出しをした際に、従来から行われているデータの再書き込み動作を行う機能を有さないため、データ読出部５３により任意のメモリセル１００からデータが反転読み出された後、当該メモリセル１００に対してデータの再書き込み動作が実行されず、同一データが複数個存在する状態を回避することができる。なお、メモリからデータが読み出された後、同一のデータがメモリ上に残ってしまうような従来型の構成の場合、データを読み出した回数分、同一のデータが存在してしまうことになる。そうなると、重複して存在するデータを悪用される問題があり、セキュリティを図る上で障害となってしまう。
【００５４】
また、強誘電体メモリ部１３ｆＡは、基板５０上に制御部５４を備えず、外部制御部により同様の制御が行われるような構成であってもよい。
【００５５】
このような構成によれば、基板５０上にデータ書込部５２とデータ読出部５３を制御する機能を実装しないため、基板５０を小規模化することができる。また、このような構成においても、データ読出部５３により任意のメモリセル１００からデータが反転読み出された後、当該メモリセル１００に対してデータの再書き込み動作が実行されず、同一データが複数個存在する状態を回避することができる。
【００５６】
＜強誘電体メモリ部１３ｆの第２の構成例＞
つぎに、強誘電体メモリ部１３ｆの第２の構成例について以下に説明する。なお、上述した強誘電体メモリ部１３ｆＡと同一の構成要素については、同一の番号を付し、詳細な説明を省略する。
【００５７】
強誘電体メモリ部１３ｆＢは、図８に示すように、基板５０上に、強誘電体材料がデータの蓄積メモリとして構成されるメモリセル１００と、マトリクス状に複数個並んで配置されているメモリセル１００の中から任意のメモリセル１００を選択する選択信号Ｓ１が供給されるＷＬ１０１と、メモリセル１００に第１の電圧Ｖ１が供給されるＢＬ１０２と、メモリセル１００に第２の電圧Ｖ２が供給されるＰＬ１０３とから構成されるメモリセル群５１と、ＷＬ１０１を介して選択信号Ｓ１を供給して任意のメモリセル１００を選択し、当該メモリセル１００にデータを書き込むデータ書込部５２と、ＷＬ１０１を介して選択信号Ｓ１を供給して任意のメモリセル１００を選択し、当該メモリセル１００に書き込まれているデータを読み出すデータ読出部５３と、データ書込部５２によるデータの書き込み動作を制御し、また、データ読出部５３によるデータの読み出し動作を制御する制御部５４と、データ読出部５３によりデータが読み出された任意のメモリセル１００に対して、読み出したデータと同一のデータを再書き込みするようにデータ書込部５２を制御するデータ再書込制御部５５を備える。
【００５８】
データ再書込制御部５５は、メモリセル群５１の動作確認検査を行う場合にのみデータの再書き込み動作を行い、それ以外の場合には再書き込み動作を行わないようにデータ書込部３２を制御する。
【００５９】
ここで、メモリセル群５１の動作確認検査を行う場合におけるデータの再書き込み動作について説明する。なお、キャパシタ１１１から「１」を読み出した場合には、ＢＬ１０２の電位は、Ｖｃｃになっている。また、再書き込み動作は、データが反転読み出しをされた後所定期間内に実行されるものとする。
【００６０】
データ書込部５２は、データ再書込制御部５５によるデータの再書き込み制御にしたがって、ＰＬ駆動部１０６に所定の信号を供給する。ＰＬ駆動部１０６は、反転読み出しをされたキャパシタ１１１が接続されているＰＬ１０３の電位を０Ｖにする。したがって、キャパシタ１１１は、逆バイアスが印加されることになり、元の状態である「１」が再書き込みされる。
【００６１】
したがって、本発明に係るメモリ部１０Ｂは、工場出荷時においてメモリセル群５１の動作確認検査を行う場合には、基板５０上に搭載されているデータ再書込制御部５５を利用することができ、また、検査終了後には、データ再書込制御部５５の機能を無効（制限）にすることができる。ゆえに、本発明に係るメモリ部１０Ｂは、検査終了後においては、データ読出部５３により任意のメモリセル１００からデータが反転読み出しされた後、当該メモリセル１００に対してデータの再書き込み動作が実行されないため、同一データが複数個存在する状態を回避することができる。
【００６２】
また、メモリ部１０Ｂは、基板５０上に制御部５４およびデータ再書込制御部５５を備えず、外部制御部により同様の制御が行われるような構成であってもよい。
【００６３】
このような構成によれば、基板５０上にデータ書込部５２とデータ読出部５３を制御する機能を実装しないため、基板５０を小規模化することができる。また、このような構成においても、工場出荷時においてメモリセル群５１の動作確認検査を行う場合には、基板５０上に搭載されているデータ再書込制御部５５を利用することができ、また、検査終了後には、データ再書込制御部５５の機能を無効（制限）にすることができる。また、本構成においても、検査終了後においては、データ読出部５３により任意のメモリセル１００からデータが反転読み出しをされた後、当該メモリセル１００に対してデータの再書き込み動作が実行されないため、同一データが複数個存在する状態を回避することができる。
【００６４】
＜販売時での店舗用ＤＢの動作説明＞
次に、図４に示すブロック図、図９に示すフローチャート、図１４（ａ）に示すシーケンス図を参照して、店舗用ＤＢ１５の動作を説明する。
【００６５】
カバン１２を販売する際には、店舗の店員により販売管理書類が作成される。この販売管理書類には、所有者確認に使用するための識別コード、購入店コード、購入金額データ、購入された日付データおよび時刻データ、購入者名データ、購入者が携帯する携帯電話機１８の電話番号等の識別情報が記載されている。なお、識別情報にある電話番号に代わって、メールアドレス、インターネットの認証ＩＤとパスワードを用いてもよい。
【００６６】
そこで、店員がこの書類の記載内容を店舗用ＤＢ１５に入力するために店舗用ＤＢ１５を起動する。まず、ステップＳ１０では、制御部１５ｄによりＲＯＭ１５ｇから制御プログラムが読み出され、表示処理部１５ｂに対して入力フォームの画面データが入力され、表示処理部１５ｂにより入力フォームの画像信号が形成されモニタ１５ａに入力フォームが表示される。
【００６７】
次いで、ステップＳ２０では、店員によりキーボード１５ｃから上述した識別情報が入力されると、制御部１５ｄは入力された識別情報を入力フォーム上に展開し、表示処理部１５ｂにより入力フォームに識別情報が付加された画像信号が形成されモニタ１５ａに表示される。同時に、キーボード１５ｃから入力された識別情報は、制御部１５ｄからＨＤ（ハードディスク）１５ｅにレコード番号を付加して記憶される。
【００６８】
次いで、ステップＳ３０では、制御部１５ｄは一方向関数ＨＦとその有効期限を算出してステップＳ２０で用いたレコード番号に対応させて、ＨＤ１５ｅに記憶する。この結果、ＨＤ１５ｅには、購入者に付与する識別情報と一方向関数およびその有効期限が記憶される。
【００６９】
ここで、一方向関数は、いわゆるハッシュ計算関数ＨＦであり、例えばＭＤ５と呼ばれるアルゴリズムが用いられ、このＭＤ５のアルゴリズムに従って識別コードに基づくハッシュ値ＨＦＤ１が算出される。このハッシュ計算関数ＨＦにより算出したハッシュ値ＨＦＤ１は、元の識別コードが例え１ビットでもデータに変更があった場合には異なった値を示すものであり、すなわち改竄等が行われていない場合と改竄等が行われていた場合とではハッシュ値ＨＦＤ１が異なったものになってしまう。従って、ハッシュ計算関数ＨＦを用いること識別コードが真正なものであるか否かを検証することができる。
【００７０】
ここで、店員はカバン１２と所有者判定用端末１４を店舗用ＤＢ１５の近傍に置いて後述する情報転送の準備をする。
【００７１】
次いで、ステップＳ４０では、制御部１５ｄは、店員によるマウス（図示しない）の操作に応じて表示画面上に表示されている転送ボタン（図示しない）がクリックされてＯＮされたか否かを判断する。
【００７２】
次いで、転送ボタンがＯＮされた場合には、ステップＳ５０に進み、制御部１５ｄは、購入者の携帯電話機１８のメールアドレスを指定してデータ通信を行うために通信処理部１５ｆを制御し、この購入者に付与する識別情報と一方向関数およびその有効期限をハードディスクＨＤ１５ｅから読み出し、この識別情報と一方向関数およびその有効期限からなる電子メールを生成し、通信処理部１５ｆからルータ２０、通信回線１６、無線通信回線１９を介してインターネットプロバイダ（図示しない）に送信し、このインターネットプロバイダを介して携帯電話機１８に電子メールを受信させ、携帯電話機１８を介して所有者判定用端末１４に転送する（ＳＴ５０）。
【００７３】
＜販売時での所有者判定用端末の動作説明＞
次に、図３に示すブロック図、図１０に示すフローチャート、図１４（ａ）に示すシーケンス図を参照して、所有者判定用端末１４の動作を説明する。なお、上述したように、情報転送時には、カバン１２と所有者判定用端末１４および携帯電話機１８とが店舗用ＤＢ１５の近傍に置かれている。
【００７４】
上述したように、店舗用ＤＢ１５と所有者判定用端末１４とが、ルータ２０、通信回線１６、無線通信回線１９、携帯電話機１８を介して間接的に接続され、店舗用ＤＢ１５から送信されるデータが所有者判定用端末１４に転送される。
【００７５】
まず、ステップＳ１１０〜Ｓ１２０では、制御部１４ｆは、通信処理部１４ｈからデータを入力し、電子メールによる転送データがあるか否かを判断する。転送データがある場合にはステップＳ１３０に進む。
【００７６】
ステップＳ１３０〜Ｓ１４０では、制御部１４ｆは、通信処理部１４ｈにより受信された電子メールに含まれている識別情報と一方向関数およびその有効期限をＥＥＰＲＯＭ１４ｅに記憶する。
【００７７】
次いで、ステップＳ１５０では、制御部１４ｆは、店員により所有者判定用端末１４に設けられた転送キー（図示しない）が押されてＯＮされたか否かを判断する。転送キーがＯＮされた場合には、ステップＳ１６０に進み、制御部１４ｆは、ＥＥＰＲＯＭ１４ｅに記憶されている識別情報を読み出して変調部１４ｎに出力するようにしてＲＦＩＤタグ１３に転送する（ＳＴ１６０）。
【００７８】
ここで、変調部１４ｎでは、制御部１４ｆからの例えば識別コードに基づいて一定周波数の正弦波信号を周波数偏移変調して所定の順序の複数の異なる周波数の正弦波信号を形成し、変調部１４ｎからの出力信号を送信部１４ｐのコイルアンテナ１４ａより空間に放射して変動磁場を形成する。
【００７９】
＜販売時でのＲＦＩＤタグの動作説明＞
次に、図２に示すブロック図、図１１に示すフローチャート、図１４（ａ）に示すシーケンス図を参照して、ＲＦＩＤタグ１３の動作を説明する。なお、上述したように、情報転送時には、カバン１２と所有者判定用端末１４とが店舗用ＤＢ１５の近傍に置かれている。
【００８０】
カバン１２にはＲＦＩＤタグ１３が内蔵されており、所有者判定用端末１４に設けられた転送キーが押された場合には、所有者判定用端末１４に設けられたコイルアンテナ１４ａにより空間に変動磁場が形成される。
【００８１】
このとき、ＲＦＩＤタグ１３では、コイルアンテナ１３ａを介して所有者判定用端末１４側から変動磁場を受信したときに電力発生部１３ｂにより電力が発生される。電力発生部１３ｂからの電力が各部に供給される。
【００８２】
同時に、コイルアンテナ１３ａを介して所有者判定用端末１４側からの変動磁場を受信して受信部１３ｈが受信信号を復調部１３ｉに出力し、復調部１３ｉでは、受信部１３ｈからの受信信号を復調して出力信号を制御部１３ｇに与える。
【００８３】
ステップＳ２１０では、制御部１３ｇは、復調部１３ｉから出力される識別情報を履歴情報として受信する（ＳＴ５０）。
【００８４】
次いで、ステップＳ２２０では、制御部１３ｇは、強誘電体メモリ部１３ｆの空き容量を判断して、受信した履歴情報を強誘電体メモリ部１３ｆに書き込めるか否かを判断する。ここで、強誘電体メモリ部１３ｆに空き容量があり、受信した履歴情報を書き込めると判断した場合には、ステップＳ２４０に進む。一方、強誘電体メモリ部１３ｆに空き容量がない場合には、ステップＳ２３０に進む。
【００８５】
強誘電体メモリ部１３ｆに空き容量がない場合には、ステップＳ２３０では、制御部１３ｇは、日付の最も古い履歴情報を強誘電体メモリ部１３ｆから削除する。
【００８６】
次いで、ステップＳ２４０では、制御部１３ｇは、受信した識別情報を履歴情報として強誘電体メモリ部１３ｆに記憶する。
【００８７】
この結果、カバン１２に内蔵されたＲＦＩＤ１３に設けられた強誘電体メモリ部１３ｆには、所有者確認に使用するための識別コード、購入店コード、購入金額データ、購入された日付データおよび時刻データ、購入者名データ等の識別情報が記憶される。
【００８８】
＜携帯時でのＲＦＩＤタグの動作説明＞
次に、図２に示すブロック図、図１２に示すフローチャート、図１４（ｂ）に示すシーケンス図を参照して、ＲＦＩＤタグ１３の動作を説明する。なお、カバン１２が所有者により携帯されている場合に、カバン１２の所有者判定を行うときには携帯電話機１８と接続されている所有者判定用端末１４がカバン１２の近傍に置かれていることとする。
【００８９】
所有者判定を行う場合、ＲＦＩＤタグ１３では、コイルアンテナ１３ａを介して所有者判定用端末１４側から変動磁場を受信し、電力発生部１３ｂにより電力が発生される。電力発生部１３ｂからの電力が各部に供給される。同時に、コイルアンテナ１３ａを介して所有者判定用端末１４側からの変動磁場を受信して受信部１３ｈが受信信号を復調部１３ｉに出力し、復調部１３ｉでは、受信部１３ｈからの受信信号を復調して出力信号を制御部１３ｇに与える。
【００９０】
まず、ステップＳ３１０では、制御部１３ｇは、復調部１３ｉから出力される一方向関数を受信する（ＳＴ４３０）。
【００９１】
次いで、ステップＳ３２０では、制御部１３ｇは、強誘電体メモリ部１３ｆに記憶されている履歴情報のうち識別コードを読み出し、ステップＳ３１０で受信した一方向関数にこの識別コードを代入して演算することで暗号化し、第１の演算結果を求める。
【００９２】
次いで、ステップＳ３３０では、制御部１３ｇは、ステップＳ３２０で求めた第１の演算結果を変調部１３ｄに出力し、一定周波数の正弦波信号を周波数偏移変調して所定の順序の複数の異なる周波数の正弦波信号を形成し、変調部１３ｄからの出力信号を送信部１３ｃで、コイルアンテナ１３ａより空間に放射して変動磁場を形成する（ＳＴ３３０）。
【００９３】
なお、ステップＳ３１０で受信した一方向関数情報、ステップＳ３３０で送信した暗号化された第１の演算結果は、強誘電体メモリ部１３ｆがＦｅＲＡＭである場合には、このＦｅＲＡＭから破壊読出し動作が行われメモリセル群から消去される。
【００９４】
＜携帯時での所有者判定用端末の動作説明＞
次に、図３に示すブロック図、図１３に示すフローチャート、図１４（ｂ）に示すシーケンス図を参照して、所有者判定用端末１４の動作を説明する。
【００９５】
次いで、カバン１２と所有者判定用端末１４および携帯電話機１８とがともに所有者により携帯され、店舗から遠隔地にある場合に、ステップＳ４１０では、制御部１４ｆは、ＲＴＣ１４ｊから現在の日付情報と日時情報を読み出し、ＥＥＰＲＯＭ１４ｅに記憶しておいた一方向関数の有効期限情報を読み出し、この有効期限情報が現在の日付情報、日時情報と比較して期限切れになったか否かを判断する。一方向関数が期限切れになっている場合にはステップＳ４１５に進む。一方、一方向関数の期限が有効な場合にはステップＳ４３０に進む。
【００９６】
ＥＥＰＲＯＭ１４ｅに記憶しておいた一方向関数が期限切れになっているときには、ステップＳ４１５では、制御部１４ｆは、店舗用ＤＢ１５のＵＲＬアドレスを指定してこのＵＲＬアドレスを通信処理部１４ｈに与えると、通信処理部１４ｈは無線通信回線１９に対して発呼して無線通信回線１９、通信回線１６、ルータ２０を介して店舗用ＤＢ１５と接続し、さらに、通信処理部１４ｈはダウンロード要求情報を店舗用ＤＢ１５に送信する。この際、通信処理部１４ｈは認証ＩＤやパスワードを携帯電話機１８に与え、携帯電話機１８からこれらの情報が店舗用ＤＢ１５に送信される（ＳＴ４１５）。
【００９７】
これに対して、店舗用ＤＢ１５では、制御部１５ｄは、指定されたＵＲＬアドレスに応じて認証ダイアローグを起動する。店舗用ＤＢ１５では、所有者判定用端末１４から受信した所有者の認証ＩＤやパスワードに応じて認証処理を行い、認証結果が正しい場合に、ダウンロード要求情報に応じて、この所有者判定用端末１４に付与する新たな一方向関数およびその有効期限を算出してハードディスクＨＤ１５ｅに記憶させると同時に、これらの情報を含むパケットデータを生成して通信処理部１５ｆから携帯電話機１８に送信し、所有者判定用端末１４に転送する（ＳＴ４２０）。
【００９８】
次いで、ステップＳ４２０では、制御部１４ｆは、通信処理部１４ｈでパケットデータをダウンロードして受信し、このパケットデータに含まれている新しい一方向関数ＨＦとその有効期限を抽出してＥＥＰＲＯＭ１４ｅに記憶する。
【００９９】
次いで、ステップＳ４３０では、制御部１４ｆは、上述したステップＳ４２０の処理によりＥＥＰＲＯＭ１４ｅに記憶しておいた一方向関数ＨＦを読み出し、ＲＦＩＤタグ１３に送信する（ＳＴ４３０）。
【０１００】
次いで、ステップＳ４４０では、制御部１４ｆは、ＥＥＰＲＯＭ１４ｅに記憶しておいた一方向関数ＨＦを読み出し、さらに、ＥＥＰＲＯＭ１４ｅに記憶しておいた識別コードを読み出し、一方向関数ＨＦにこの識別コードを代入して演算することで暗号化し、第２の演算結果を求める。
【０１０１】
次いで、ステップＳ４５０では、制御部１４ｆは、ＲＦＩＤタグ１３で演算された第１の演算結果を復調部１４ｄにより受信する（ＳＴ３３０）。
【０１０２】
次いで、ステップＳ４５０では、制御部１４ｆは、ＲＦＩＤタグ１３から受信した第１の演算結果と、所有者判定用端末１４で演算して求めた第２の演算結果とが一致するか否かを判断する。両者が一致する場合にはステップＳ４７０に進む。一方、両者が一致しない場合にはステップＳ４８０に進む。
【０１０３】
次いで、両者が一致する場合には、ステップＳ４７０では、制御部１４ｆは、所有者判定用端末１４の所有者と、ＲＦＩＤタグ１３を内蔵したカバン１２の所有者とが同一であり、このカバン１２の所有者であると判定したので、所有者であることを示すメッセージデータを生成して表示部１４ｇに表示する。
【０１０４】
一方、両者が一致しない場合には、ステップＳ４８０では、制御部１４ｆは、所有者判定用端末１４の所有者と、ＲＦＩＤタグ１３を内蔵したカバン１２の所有者とが同一ではなく、このカバン１２の所有者ではないと判定したので、所有者ではないことを示すメッセージデータを生成して表示部１４ｇに表示する。
【０１０５】
このように、所有者判定用端末１４にあっては、店舗用ＤＢ１５から受信した識別コードを物品に付加されたＲＦＩＤタグ１３に送信しておき、所有者の判定時に、店舗用ＤＢ１５から受信した一方向関数をＲＦＩＤタグ１３に送信し、ＲＦＩＤタグ１３において識別コードを一方向関数に代入して求めさせた第１の演算結果をＲＦＩＤタグ１３から受信する一方、識別コードを一方向関数に代入して第２の演算結果を求め、第１の演算結果と第２の演算結果とが一致したときに物品の所有者であると判定してこの判定結果を表示することで、物品の所有者を判定することができる。
【０１０６】
例えば。ホテルのクロークや空港等において、所有者のカバンと類似した複数のカバンの中から自己のカバンを探し出す場合や、所持しているカバンが確実に所有者のものなのか判定することができる。
【０１０７】
また、所有者判定用端末１４に記憶してある一方向関数の有効期限が経過した場合には、店舗用ＤＢ１５に新たな一方向関数の配信を要求し、店舗用ＤＢ１５からこの受信した新たな一方向関数をＲＦＩＤタグ１３に送信することで、ＲＦＩＤタグ１３に最新の一方向関数に基づいた演算を行わせて暗号化させることができ、例えば有効期限を日単位や週単位で変更すれば、物品の所有者の判定を高確度で行うことができる。
【０１０８】
また、所有者判定用端末１４から識別コードを受信して記憶しておき、判定時に、所有者判定用端末１４から受信した一方向関数を用いるので、最新の一方向関数に基づいた演算を行って識別コードを暗号化することができ、物品の所有者の判定を高確度で行うことができる。
【０１０９】
また、ＲＦＩＤタグ１３にあっては、演算時に、不揮発性メモリに記憶された識別コードを残さない破壊読出しを行うので、ＲＦＩＤタグ１３の複製を防止することができる。
【０１１０】
＜他の実施形態＞
上記の実施形態にあっては、所有者判定用端末１４と店舗用ＤＢ１５との間でパケットデータを用いたデータ通信を仲介するために携帯電話機１８を用いたが、本発明はこのような場合に限定されるものではなく、所有者判定用端末１４を携帯電話機１８に内蔵するようにしてもよい。
【０１１１】
また、上記の実施形態にあっては、所有者判定用端末１４と店舗用ＤＢ１５との間でパケットデータを用いたデータ通信を仲介するために携帯電話機１８を用いたが、本発明はこのような場合に限定されるものではなく、パケットデータに変換されるデータとして、ファイルデータやメールデータを用いてもよい。
【０１１２】
また、上記の実施形態にあっては、商品の販売店等の店舗に設けられた店舗用ＤＢ１５を用いているが、本発明はこのような場合に限定されるものではなく、例えば、通信回線を介して商品の製造業者に設けられ、店舗用ＤＢ１５と同様の役割を果たすデータベース装置を用いてもよい。
【図面の簡単な説明】
【０１１３】
【図１】本発明の実施形態に係る所有者判定システムの構成を説明するためのブロック図である。
【図２】図１に示すＲＦＩＤタグ１３の構成を説明するためのブロック図である。
【図３】図１に示す所有者判定用端末１４の構成を説明するためのブロック図である。
【図４】図１に示す店舗用ＤＢ１５の構成を説明するためのブロック図である。
【図５】図２に示す強誘電体メモリ部の第１の構成例を示すブロック図である。
【図６】図５に示す強誘電体メモリ部に備えられているメモリ部の構成を示すブロック図である。
【図７】図６に示す強誘電体メモリ部に備えられているメモリセルの構成を示すブロック図である。
【図８】図２に示す強誘電体メモリ部の第２の構成例を示すブロック図である。
【図９】本発明の実施形態に係る店舗用ＤＢ１５の販売時での動作を説明するためのフローチャートである。
【図１０】本発明の実施形態に係る所有者判定用端末１４の販売時での動作を説明するためのフローチャートである。
【図１１】本発明の実施形態に係るＲＦＩＤタグ１３の販売時での動作を説明するためのフローチャートである。
【図１２】本発明の実施形態に係るＲＦＩＤタグ１３の携帯時での動作を説明するためのフローチャートである。
【図１３】本発明の実施形態に係る所有者判定用端末１４の携帯時での動作を説明するためのフローチャートである。
【図１４】本発明の実施形態に係る所有者判定システムの動作を説明するための販売時のシーケンス図（ａ）、携帯時のシーケンス図（ｂ）である。
【図１５】従来の技術を説明するための図である。
【符号の説明】
【０１１４】
１１…所有者判定システム、１２…カバン、１３…ＲＦＩＤタグ、１３ａ…コイルアンテナ、１３ｂ…電力発生部、１３ｃ…送信部、１３ｄ…変調部、１３ｅ…ＲＯＭ、１３ｆ…強誘電体メモリ部、１３ｇ…制御部、１３ｈ…受信部、１３ｉ…復調部、１４…所有者判定用端末、１４ａ…コイルアンテナ、１４ｂ…発振部、１４ｃ…受信部、１４ｄ…復調部、１４ｅ…ＥＥＰＲＯＭ、１４ｆ…制御部、１４ｇ…表示部、１４ｈ…通信処理部、１４ｉ…操作部、１４ｋ…ＲＯＭ、１４ｍ…ＲＡＭ、１４ｎ…変調部、１４ｐ…送信部、１４ｒ…コネクタ、１５ａ…モニタ、１５ｂ…表示処理部、１５ｃ…キーボード、１５ｄ…制御部、１５ｆ…通信処理部、１５ｇ…ＲＯＭ、１５ｈ…ＲＡＭ、１６…通信回線、１７…専用ケーブル、１８…携帯電話機、１９…無線通信回線、２０…ルータ
【図１】
2007328566.tif 000003
【図２】
2007328566.tif 000004
【図３】
2007328566.tif 000005
【図４】
2007328566.tif 000006
【図５】
2007328566.tif 000007
【図６】
2007328566.tif 000008
【図７】
2007328566.tif 000009
【図８】
2007328566.tif 000010
【図９】
2007328566.tif 000011
【図１０】
2007328566.tif 000012
【図１１】
2007328566.tif 000013
【図１２】
2007328566.tif 000014
【図１３】
2007328566.tif 000015
【図１４】
2007328566.tif 000016
【図１５】
2007328566.tif 000017